(57)【要約】      （修正有）【課題】肌をマッサージするにも好適なセラミックボールを活用した液体改良具を提供する。【解決手段】第１のプレート１１と第２のプレート２１によりセラミックボール３０を保持している液体改良具であって、第１プレートの表面に上記セラミックボールの径よりも小さい径の開口１４を設けその内部において上記セラミックボールを受けることができる受け座１２を設け、第２プレートの表面に上記セラミックボールの径よりも小さい径の開口１４を設けその内部において上記セラミックボールを受けることができる受け座を設け、上記第１プレートと第２プレートを重ね合わせたときに、上記セラミックボールを受けることができる受け座同士が合わさることでセラミックボールを保持し、かつ、セラミックボールの一部を第１プレート及び第２プレートの表面に設けられた上記開口から外側に露出するようにして液体改良具を構成する。【選択図】図２
0003150489.tif 000002
【実用新案登録請求の範囲】
【請求項１】
第１のプレートと第２のプレートによりセラミックボールを保持している液体改良具であって、第１プレートの表面に上記セラミックボールの径よりも小さい径の開口を設けその内部において上記セラミックボールを受けることができる受け座を設け、第２プレートの表面に上記セラミックボールの径よりも小さい径の開口を設けその内部において上記セラミックボールを受けることができる受け座を設け、上記第１プレートと第２プレートを重ね合わせたときに、上記セラミックボールを受けることができる受け座同士が合わさることでセラミックボールを保持し、かつ、セラミックボールの一部を第１プレート及び第２プレートの表面に設けられた上記開口から外側に露出したことを特徴とした液体改良具。
【請求項２】
第１プレート及び第２プレートにおいて、セラミックボールを受けることができる凹球面状の受け座を設け、上記第１プレートと第２プレートを重ね合わせたときに、上記受け座によってセラミックボールが回転可能に保持されることを特徴とした請求項１記載の液体改良具。
【請求項３】
第１プレート及び第２プレートをほぼ正８角形にしたことを特徴とする請求項１または2記載の液体改良具。
【請求項４】
第１プレート及び第２プレートにおいて表面処理を施して形成した抗菌機能を有する被膜を有することを特徴とする請求項１から３のいずれか１項に記載の液体改良具。
【請求項５】
第１プレート及び第２プレートにおいて表面処理を施して形成した抗菌機能を有する被膜は銀メッキであることを特徴とする請求項４記載の液体改良具。
【請求項６】
第１プレートあるいは第２プレートいずれか一方または双方の表面に露出するようにマグネットを配置したことを特徴とする請求項１から５のいずれか１項に記載の液体改良具。
【請求項７】
液体改良具に接続部材を有し液体改良具同士を接続可能にしたことを特徴とする請求項１から６のいずれか１項に記載の液体改良具。
【考案の詳細な説明】
【技術分野】
【０００１】
本考案は、浴槽に入れることで、入浴する者に対してリラックスさせる効果を有しかつ雑菌の繁殖を抑えることができる液体改良具に関するものである。
【背景技術】
【０００２】
従来より、入浴するに際して、遠赤外線の効果により体を温め湯冷めしにくくして、肩こり、腰痛、冷え性等の症状を緩和しリラックスさせるためにセラミックボールを浴槽に入れることが知られている。
【０００３】
しかしながら、上記セラミックボールをそのまま浴槽に入れるだけでは、浴槽に張った水を入れ替える際に排水溝より流して、当該セラミックボールが散逸してしまう恐れがある。従って浴槽の水を入れ替える際に、すべてのセラミックボールを回収しなければならない。
【０００４】
それを解決するために、セラミックボールを湯水透過可能な容器に納めた収納体であって、この収納体には、湯水透過可能なカセット型容器が脱着可能に装着されており、カセット型容器にはセラミックボールが装填された構成とされたものが知られている。
【０００５】
セラミックボールは上記のとおり遠赤外線効果を有するので肌に直接触れさせることで、マッサージ効果を得ることができる。しかしながら、上記、湯水透過可能セラミック部材の収納体を直接手に持って肌にこすりつけるようにしてマッサージすることは、極めて不便である。
【０００６】
更に上記セラミックボールのみでは、雑菌の発生を抑えて浴槽の水質を改善することはできないので、今までと同様の頻度で浴槽の水を取り換える必要がある。
【０００７】
また別の分野であるが、従来よりてんぷらやフライなどいわゆる揚げ物に使用する食用油は、使用により次第に劣化してくることが知られている。この原因としては加熱された食用油が使用によって次第に酸化したり重合したりするからである。このように劣化した油で揚げたてんぷらなどは風味が落ちるだけでなく粘度が生じるため油切れが悪く胃もたれしやすいという欠点がある。この場合、セラミックスを天ぷら油の中に入れることによって、食用油の酸化あるいは重合などの反応を遅らせることができるとされている。
【０００８】
しかしながら、天ぷら用のなべやフライヤーなどにセラミックボールが装填された上記カセット型容器を入れた場合に嵩張ってしまうことになる。
【考案の開示】
【考案が解決しようとする課題】
【０００９】
この考案は、本考案は前記の点に着目して考案されたものであり、その課題は、肌をマッサージするにも好適な液体改良具を提供するものである。また他の課題としては、雑菌の発生を抑えて浴槽内の水質を改善する液体改良具を提供するものである。また他の課題としては、天ぷら油の劣化を遅らせるために天ぷらなべやフライヤーになどに入れた場合に嵩張らないようにすることを課題とする
【００１０】
本考案に係る液体改良具は、第１のプレートと第２のプレートによりセラミックボールを保持している液体改良具であって、第１プレートの表面に上記セラミックボールの径よりも小さい径の開口を設けその内部において上記セラミックボールを受けることができる受け座を設け、第２プレートの表面に上記セラミックボールの径よりも小さい径の開口を設けその内部において上記セラミックボールを受けることができる受け座を設け、上記第１プレートと第２プレートを重ね合わせたときに、上記セラミックボールを受けることができる受け座同士が合わさることでセラミックボールを保持し、かつ、セラミックボールの一部を第１プレート及び第２プレートの表面に設けられた上記開口から外側に露出したことを特徴とした液体改良具である。第１プレートと第２プレートに第１プレートに上記セラミックボールの径よりも小さい径の開口を設けその内部において上記セラミックボールを受けることができる受け座を設けることで、セラミックボールを保持することができ、その際に第１プレート及び第２プレートで保持された当該セラミックボールの一部が当該第１プレート及び第２プレートの表面の一部に設けられた開口から露出する構成となるので、上記液体改良具を浴槽に入れた場合に保持されたセラミックボールが湯と接触するため、遠赤外線の効果を及ぼすことができる。更に当該プレートから露出したセラミックボールの一部が肌と接することでマッサージ効果を及ぼすことができるので遠赤外線の効果によりリラックス効果を及ぼすことができる。遠赤外線の効果を奏するセラミックボールの組成は、例えばアルミナあるいは２酸化ケイ素を主成分としたもの、あるいはアルミナ、炭化珪素、マグネシア、シリカ、ジルコニア、窒化珪素、窒化硼素、炭化硼素が知られている。またプレートの材質は、アルミニウム系の素材あるいはステンレスあるいは、真鍮等の金属素材が使用されるのが好ましい。また上記液体改良具を天ぷら油の中に入れた場合は当該液体改良具を比較的薄くできるのでコンパクトになる。
【００１１】
本考案に係る液体改良具は、第１プレート及び第２プレートにおいて、セラミックボールを受けることができる凹球面状の受け座を設け、上記第１プレートと第２プレートを重ね合わせたときに、上記受け座によってセラミックボールが回転可能に保持されることを特徴とした上記記載の液体改良具である。本考案によれば、プレートから露出したセラミックボールを肌にこすりつけることでマッサージ効果を及ぼすことができるものであるが当該セラミックボールが回転することで肌の上をセラミックボールが転がり、よりマッサージ効果を高めることができる。また、当該液体改良具を天ぷら油に使用する場合はセラミックボールが回転可能に保持されているので、セラミックボールの表面のうち今まで天ぷら油に触れていない面を触れさせることができるので、天ぷら油の劣化防止に効果的である。
【００１２】
本考案に係る液体改良具は、第１プレート及び第２プレートをほぼ正８角形にしたことを特徴とする上記記載の液体改良具である。本考案によれば、第１プレート及び第２プレートの形状を８角形にすることで手に持ちやすく肌をマッサージするのに好適である。また、当該液体改良具を天ぷら油に使用する場合は、特に小型のなべに入れるのに適している。
【００１３】
本考案に係る液体改良具は、第１プレート及び第２プレートにおいて表面処理を施して形成した抗菌機能を有する被膜を有することを特徴とする上記記載の液体改良具である。本考案に係る液体改良具は、第１プレート及び第２プレートにおいて抗菌機能を有する表面処理を施した被膜を有するものであるので、雑菌の発生を抑えることができ浴槽の水換えの頻度が軽減されるものである。従っていわゆる２４時間風呂にも使用することができる。この場合、表面処理を施して形成した抗菌機能を有する被膜はメッキが好適である。また第１プレート及び第２プレートにおいてその素材がアルミ系の素材である場合は、メッキのほか、アルマイト処理に抗菌機能を付加することもできる。
【００１４】
本考案に係る液体改良具は、第１プレート及び第２プレートにおいて表面処理を施して形成した抗菌機能を有する被膜は銀メッキであることを特徴とする上記記載の液体改良具である。この場合、上記抗菌機能を有する表面処理を施した被膜とは、例えば銀メッキなどが好適である。なお、第１プレート及び第２プレートにおいて銀メッキを施すことにより、第１プレート及び第２プレートの表面から銀イオンが発生し雑菌の発生を抑えることができる。
【００１５】
本考案に係る液体改良具は、第１プレートあるいは第２プレートいずれか一方または双方の表面に露出するようにマグネットを配置したことを特徴とする上記記載の液体改良具である。マッサージするに際しリラックス効果を奏したり、また、天ぷら油等の酸化を遅らせたりするとされている。
【００１６】
本考案に係る液体改良具は、接続部材を有し液体改良具を接続可能にした事を特徴とする上記記載の液体改良具である。これにより浴槽やフライヤーの大きさに合わせて液体改良具を接続することができるので、一定の大きさの液体改良具を複数準備するだけで、底面が大きい浴槽やフライヤーに設置することができる。
【考案の効果】
【００１７】
上述のように本考案に係る液体改良具は、セラミックの部材をボール状とし第１プレートと第２プレートで保持しつつ上記セラミックボールの一部を露出させているので湯水と直接接しかつ肌にも直接触れることができるので、肌をマッサージすることによりリラックス効果が期待できるとともに各プレートが抗菌処理されているため、雑菌の繁殖を抑えることができ湯水の交換頻度を減らすことができる。また、当該液体改良具を天ぷら油に入れた場合にコンパクトにセラミックボールを収納でき、また、セラミックボールの表面のうち今まで天ぷら油に触れていない面を触れさせることができるので、天ぷら油の酸化あるいは重合などの劣化防止に効果的である。
【考案を実施するための最良の形態】
【００１８】
以下の本考案を実施するための実施の形態を図面に基づいて説明する。図１は、液体改良具の斜視図である。図２は、図１のＡ−Ａ線断面図である。図３は、図１のＢ−Ｂ線断面図である。図４は、図１のＡ−Ａ線断面図の拡大分解図である。図５は、第２実施例の液体改良具の斜視図である。図６は、図５のＣ−Ｃ線断面図である。図７は、第２実施例における液体改良具を２連結した場合の平面図である。図８は、第２実施例における液体改良具を３連結した場合の平面図である。
【００１９】
本考案の第１の実施例である液体改良具１０は図１に示すように、第１プレート１１及び第２プレート２１及びそれらにより保持されるセラミックボール３０により構成される。第１プレート１１及び第２プレート２１はほぼ同一形状である矩形状であり、小判型の貫通開口２０を複数有するものである。この貫通開口２０は比較的大型の液体改良具１０である場合に当該液体改良具１０の軽量化を図るためである。また天ぷら油の入ったなべやフライヤーに入れた場合に油の対流を妨げない効果を有する。
【００２０】
セラミックボール３０は、文字通り球形状を呈しており、第１プレート１１に設けられている受け座１２及び第２プレート２１に設けられている受け座２２において挟みこむように保持されている。第１プレートの表面に開口１４をあけ、その内部の受け座１２の形状はほぼ凹球面状を呈している。また、開口１４はセラミックボール３０の径よりも径が小である。従って、セラミックボール３０が当該開口１４から抜け出すことはない。
【００２１】
同様に第２プレートの表面に開口２４をあけ、その内部の受け座２２の形状はほぼ凹球面状を呈している。また、開口２４はセラミックボール３０の径よりも径が小である。従って、セラミックボールが当該開口２４から抜け出すことはない。
【００２２】
第１プレート１１における開口１４を有する面とは反対側の面と、第２プレート２１における開口２４を有する面とは反対側の面を合わせると、上記第１プレート１１における受け座１２及び第２プレート２１における受け座２２とが合わさることによりセラミックボール３０保持することができる。上述のように、開口１４、２４はセラミックボール３０の径よりも径が小であるのでセラミックボール３０が開口１４、および開口２４から抜け出ることがなくセラミックボール３０を保持できる。また、セラミックボール３０を保持した時に、受け座１２、２２で構成される空間と上記セラミックボール３０がある一定のクリアランスを保つことでこのセラミックボール３０を回転可能に保持することができる。またこのようにセラミックボール３０を保持することにより、セラミックボール３０の一部が、第１プレート１１及び第２プレート２１の開口１４、２４から外部に露出することになる。従って、このように構成したことにより、セラミックボール３０を回転させることができるので、液体改良具１０を肌に押し付けることでセラミックボール３０を肌に接触させマッサージすることができリラックス効果を得ることができる。また、天ぷら油に入れた場合にコンパクトにセラミックボール３０を収納できるので天ぷらを揚げる際にも邪魔になることはない。
【００２３】
本実施例の液体改良具１０における第１プレート１１及び第２プレート２１は、アルミ系の素材で製作されており、これに表面処理を施して形成した抗菌機能を有する被膜３９を有している。抗菌機能を有する被膜３９とは、例えば銀メッキであることが好ましく、アルミ系素材においてアルマイト加工で抗菌機能を付加しても好ましい。またアルミ系の素材に限らずステンレス、真鍮等に抗菌銀メッキなどを施すこともできる。また表面処理を施して形成した抗菌機能を有する被膜３９であれば銀メッキに限られることはない。
【００２４】
第１プレート１１と第２プレート２１は、ボルト３５などで固定される。ボルト３５で取り外し可能とすることで効能の相違するセラミックボール３０を入れ替えることができるからである。たとえばマイナスイオン効果を奏するセラミックボールと入れ替えれば、上記記載の抗菌機能を有する被膜３９と相俟って雑菌の繁殖を抑え、更に浴室のカビの発生を抑制することを強化することができる。
【００２５】
マグネット３７を第１プレート１１に配置することができる。この例では第１プレート１１において、第１プレート１１を貫通しない収納穴３８をあけ、マグネット３７を挿入し、第１プレート１１の表面に当該マグネット３７を露出させる。本実施例ではマグネット３７を収納穴３８に挿入後に収納穴３８をカシメて固定しているが、マグネット３７を固定できればよい。尚、第２プレート２１にも同様にマグネット３７を配置することもできる。マグネット３７により油の酸化等を遅らせることができるとされている。また、液体改良具１０に接続部材４０を設けることで複数の液体改良具１０同士を接続することができる。すなわち、接続部材４０に複数のねじ孔４１を設け、ねじ４２でなどで液体改良具１０における第１プレート１１の一端に固定することができる。また液体改良具１０の他端にも接続孔３６を設け他の液体改良具１０同士と連結することができる。尚、接続部材４０についても液体改良具１０と同様に抗菌機能を有する被膜３９を施すことができる。尚、液体改良具１０において、受け座１２、開口１４、貫通開口２０、受け座２２、開口２４、セラミックボール３０、ボルト３５、マグネット３７等は複数配置することができる。
【００２６】
第２の実施例として、手の中に収めることができる液体改良具６０は、その第１プレート６１及び第２プレート７１の外形がそれぞれ平面視８角形を呈している。尚、セラミックボール３０は第１プレート６１に設けられている受け座６２及び第２プレート７１に設けられている受け座７２において挟みこむように保持されていて、第１プレート６１の表面に開口６４を開け、その内部の受け座６２の形状はほぼ凹球面状を呈している構成は第１の実施例と同様なので説明は省略する。また、開口６４はセラミックボール３０の径よりも径が小である。従って、セラミックボール３０が当該開口６４から抜け出すことはないことも同様である。
【００２７】
また、第１の実施例と同様に第２プレート７１に設けられている受け座７２についても第１の実施例と同様なのでその説明は省略する。また、第２プレート７１の表面に開口７４をあけ、その内部の受け座７４の形状はほぼ凹球面状を呈していることも同様である。また、開口７４はセラミックボール３０の径よりも径が小である。従って、セラミックボール３０が当該開口７４から抜け出すことはない。
【００２８】
第１プレート６１における開口６４を有する面とは反対側の面と、第２プレート７１における開口７４を有する面とは反対側の面を合わせると、上記第１プレート６１における受け座６２及び第２プレート７１における受け座７２とが合わさることによりセラミックボール３０を保持することができる。上述のように、開口６４、７４はセラミックボール３０の径よりも径が小であるのでセラミックボール３０が開口６４、および開口７４から抜け出ることがなくセラミックボール３０を保持できる。また、セラミックボール３０を保持した時に、上記第１プレート６１における受け座６２及び第２プレート７１における受け座７２で構成される空間と上記セラミックボール３０がある一定のクリアランスを保つことでこのセラミックボール３０を回転可能に保持することができる。またこのようにセラミックボール３０を保持することにより、セラミックボール３０の一部が第１プレート６１及び第２プレート７１の開口６４、７４から外部に露出することになる。従って、このように構成したことにより、セラミックボール３０を回転させることができるので、液体改良具６０を肌に押し付けることでセラミックボール３０を肌に接触させマッサージすることができリラックス効果を得ることができる。特に外形が８角形であるので握りやすく、肌のマッサージにも好適である。また、天ぷら油に入れる際に更にコンパクトになるので小型のなべに入れることができる。
【００２９】
液体改良具６０における第１プレート６１及び第２プレート７１も、アルミ系の素材で製作されておりこれに表面処理を施して形成した抗菌機能を有する被膜３９を有している。表面処理を施して形成した抗菌機能を有する被膜３９とは、例えば銀メッキであることが好ましく、アルミ系の素材にアルマイト加工で抗菌機能を付加しても好ましい。またアルミ系の素材に限らずステンレス、真鍮等に抗菌銀メッキなどを施すこともできる。また表面処理を施して形成した抗菌機能を有する被膜３９であれば銀メッキに限られることはないことは第１実施例と同様である。
【００３０】
液体改良具６０における第１プレート６１と第２プレート７１は、ボルト３５などで固定される。ボルト３５において取り外し可能することで、効能の相違するセラミックボール３０を入れ替えることができるからである。たとえばマイナスイオン効果を奏するセラミックボールと入れ替えれば、上記記載の抗菌機能を有する被膜３９と相俟って雑菌の繁殖を抑え、更に浴室のカビの発生を抑制することを強化することができる。
【００３１】
また、液体改良具６０においてもマグネット３７を第１プレート６１に配置することができる。マグネット３７の固定方法は液体改良具１０と同様である。すなわち、第１プレート６１において、第１プレート６１においても貫通しない収納穴（図示せず）をあけ、マグネット３７を挿入し、第１プレート６１の表面に当該マグネット３７を露出させる。本実施例においてもマグネット３７を収納穴に挿入後に収納穴をカシメて固定しているが、マグネット３７を固定できればよい。尚、第２プレート７１にも同様にマグネット３７を配置することもできる。尚、受け座６２、開口６４、受け座７２、開口７４、セラミックボール３０、ボルト３５、マグネット３７等は液体改良具６０において複数配置することができる。
【００３２】
液体改良具６０においても、接続孔７６を設け２連接続部材８０を用いてねじ８２により横並びに連結することができる（図７参照）。また、３連接続部材８１を用いてねじ８２により３方に連結することができる（図８参照）。尚、２連接続部材８０及び３連接続部材８１についても抗菌機能を有する被膜を施すことができる。
【図面の簡単な説明】
【００３３】
【図１】液体改良具の斜視図
【図２】図１のＡ−Ａ線断面図
【図３】図１のＢ−Ｂ線断面図
【図４】図１のＡ−Ａ線断面図の拡大分解図
【図５】第２実施例の液体改良具の斜視図
【図６】図５のＣ−Ｃ線断面図
【図７】第２実施例における液体改良具を２連結した場合の平面図
【図８】第２実施例における液体改良具を３連結した場合の平面図
【符号の説明】
【００３４】
１０  液体改良具
１１  第１プレート
１２  受け座
１４  開口
２０  貫通開口
２１  第２プレート
２２  受け座
２４  開口
３０  セラミックボール
３５  ボルト
３６  接続孔
３７  マグネット
３８  収納穴
３９  被膜
４０  接続部材
４１  ネジ孔
４２  ねじ
６０  第２実施例の液体改良具
６１  第２実施例の第１プレート
６２  第２実施例の受け座
６４  第２実施例の開口
７１  第２実施例の第２プレート
７２  第２実施例の受け座
７４  第２実施例の開口
７６  接続孔
８０  ２連接続部材
８１  ３連接続部材
８２  ねじ
【図１】
0003150489.tif 000003
【図２】
0003150489.tif 000004
【図３】
0003150489.tif 000005
【図４】
0003150489.tif 000006
【図５】
0003150489.tif 000007
【図６】
0003150489.tif 000008
【図７】
0003150489.tif 000009
【図８】
0003150489.tif 000010